(57)【要約】【課題】傾斜した設置基盤上に自動販売機を水平に設置するために、少ない傾斜調整孔でより多くの段階をもって傾斜調整を行い、傾斜調整の分解能を上げること。【解決手段】アジャストベース１は、互いに重ね合わされる内枠２と外枠３を備える。内枠２の内側板２ｂの長手方向における一端部と他端部に、底板２ａからの高さ位置が異なる第１の孔８と第２の孔９が設けられる。外枠３の外側板３ｂの長手方向における一端部と他端部に、第３の孔１０と複数の傾斜調整孔１１ａ〜１１ｃが設けられる。第１及び第３の孔８，１０を整合させ又は第２及び第３の孔９，１０を整合させてそれらの孔８，１０，９，１０に第１のボルト４が装着される。傾斜調整孔１１ａ〜１１ｃの一つを第２の孔９又は第１の孔８に整合させてそれらの孔１１ａ〜１１ｃ，９，８に第２のボルト５が装着される。【選択図】        図４
2005070990.tif 000002
【特許請求の範囲】
【請求項１】
自動販売機の支持脚を止め金具を介して固定するための自動販売機用アジャストベースであって、
着脱自在に互いに重ね合わされる内枠及び外枠と、
前記内枠は、底板と、その底板の両側に設けられた内側板とを含むことと、
前記内側板は、その長手方向の一端部に第１の孔が設けられ、その長手方向の他端部に第２の孔が設けられることと、
前記第１の孔と前記第２の孔は、前記底板からの高さ位置が互いに異なることと、
前記外枠は、天板と、その天板の両側に設けられた外側板とを含むことと、
前記外側板は、その長手方向の一端部に第３の孔が設けられ、その長手方向の他端部に  前記第３の孔を中心とする円弧軌跡上に配置された複数の傾斜調整孔が設けられることと、
前記天板には、前記止め金具をボルトで固定するためのねじ孔が設けられることと、
前記第１の孔と前記第３の孔を互いに整合させた状態又は前記第２の孔と前記第３の孔を互いに整合させた状態でそれらの孔に装着される第１の支軸と、
前記傾斜調整孔の一つを前記第２の孔又は前記第１の孔に整合させた状態でそれらの孔に装着される第２の支軸と
を備えたことを特徴とする自動販売機用アジャストベース。
【請求項２】
前記第１の孔及び前記第２の孔はねじ孔であり、前記第３の孔及び前記傾斜調整孔はばか孔であり、前記第１の支軸及び前記第２の支軸は、前記ねじ孔に螺合されるボルトであることを特徴とする請求項１に記載の自動販売機用アジャストベース。
【発明の詳細な説明】
【技術分野】
【０００１】
この発明は、各種商品の自動販売機を設置基盤上に固定するために使用される自動販売機用固定装置に関する。
【背景技術】
【０００２】
従来より、自動販売機の底面四隅には、ボルト状の支持脚が突設される。自動販売機の設置に際して、これらの支持脚をそれぞれ止め金具及びアンカーボルト等を介してコンクリート製等の設置基盤上に固定することにより、自動販売機の移動や転倒等を防止するようにしている。
【０００３】
ここで、例えば、下記の特許文献１には、設置基盤が傾斜している場合にも自動販売機を安全かつ容易に設置することのできる固定装置が記載されている。この固定装置は、自動販売機の前側支持脚及び後側支持脚が載せられる左右一対をなす積載フレームを備える。積載フレームは、前後方向に長く上向きに開口した直線形溝状に形成される。積載フレームの一端側には、高位置側支持金具が回動自在に連結され、積載フレームの他端側には、ボルト状の低位置側支持脚が高さ調整可能に装着される。積載フレームには、雌ねじ部を有する脚装着部材が固定され、低位置側支持脚の上部には上記雌ねじ部に螺合される雄ねじ部が設けられる。高位置側支持金具は設置基盤に固定され、低位置側支持脚は雌ねじ部と雄ねじ部の螺合により高さ調整されることにより設置基盤に固定される。これにより積載フレームが水平に設置され、その積載フレーム上に自動販売機を安全に設置できるようにしている。
【０００４】
しかしながら、特許文献１に記載の固定装置は、部品数が多く、構造が複雑であるという問題があった。そもそも、傾斜した設置基盤上に自動販売機を安全に設置するには、設置基盤の低位置側にのみ台形式の固定装置を設置し、その固定装置に自動販売機の前側支持脚を止め金具を介して固定し、高位置側については自動販売機の後側支持脚を止め金具を介して基盤上に直接固定すればよいことである。従って、特許文献１に記載の複雑な構造の固定装置を使用する必要はなく、構造が簡単な固定装置の提供が望まれている。
【０００５】
ここで、傾斜した設置基盤の低位置側にのみ設置される固定装置（製品番号：ＫＰＡ−２００Ｈ・ＫＰＡ−２００Ｌ）が、（株）共愛より販売されている。図１４に示すように、この固定装置４１は、互いに重ね合わされる箱状の内枠４２と外枠４３を備える。内枠４２は、底板４２ａと、その底板４２ａの左右両側に設けられた台形状の側板４２ｂとを含む。底板４２ａには、設置基盤上に固定されたアンカーボルトを挿通するための底孔４２ｃが形成される。各側板４２ｂには、その前寄り位置に複数のねじ孔よりなる傾斜調整孔４２ｄが形成される。外枠４３は、天板４３ａと、その天板４３ａのほぼ四辺に沿って設けられる周板４３ｂとを含む。周板４３ｂの左右両側部位には、内枠４２の側板４２ｂの各傾斜調整孔４２ｄに整合する複数のばか孔よりなる傾斜調整孔４３ｃが形成される。周板４３ｂの後側部位は、蝶番４４を介して内枠４２の後端部に回動可能に連結される。天板４３ａには、止め金具をボルトで固定するための複数のねじ孔４３ｄが形成される。
【０００６】
上記の固定装置は、傾斜した設置基盤の低位置側において、例えば、自動販売機の前側支持脚に対応して設置され、アンカーボルト等を介して設置基盤上に固定される。ここで、図１５に示すように、外枠４３の天板４３ａを水平に保持した状態で、内枠４２の傾斜調整孔４２ｄの一つと外枠４３の傾斜調整孔４３ｃの一つにボルト４５を装着して締め付ける。これにより、内枠４２に対する外枠４３の傾斜を調整して外枠４３の天板４３ａを水平状態に保持することができる。この状態で、上から自動販売機を降ろし、その前側支持脚を固定装置４１の外枠４３の天板４３ａに止め金具を介して固定する。設置基盤の高位置側は、自動販売機の後側支持脚を、基盤上に固定されたアンカーボルト等に対し止め金具を介してボルトにより固定すればよい。
【０００７】
【特許文献１】特開平９−１９６２８６号公報（第２〜４頁，図１〜７）
【発明の開示】
【発明が解決しようとする課題】
【０００８】
ところが、上記した（株）共愛より販売される固定装置４１では、内枠４２と外枠４３が蝶番４４を介して回動可能に連結される構造であることから、内枠４２の傾斜調整孔４２ｄと外枠４３の傾斜調整孔４３ｃは、蝶番４４を中心とした円弧軌跡上でしか整合させることができない。このため、内枠４２に対する外枠４３の傾斜については、外枠４３の傾斜調整孔４３ｃの数（内枠４２の傾斜調整孔４２ｄの数でもある。）の分だけしか段階的に調整することができない。すなわち、片側の傾斜調整孔４３ｃが４つの場合は、４段階にしか外枠４３の傾斜調整をすることができない。従って、より多くの段階をもって細かく傾斜調整をするには、より多くの傾斜調整孔４２ｄ，４３ｃを内枠４２及び外枠４３に設けなければならない。この結果、固定装置４１につき、製造工数が増え、各枠４２，４３の強度低下を招くおそれがあった。
【０００９】
この発明は上記事情に鑑みてなされたものであって、その目的は、傾斜した設置基盤上に自動販売機を水平に設置するために、少ない傾斜調整孔でより多くの段階をもって傾斜調整を行い、傾斜調整の分解能を上げることを可能とした自動販売機用アジャストベースを提供することにある。
【課題を解決するための手段】
【００１０】
上記目的を達成するために、請求項１に記載の発明は、自動販売機の支持脚を止め金具を介して固定するための自動販売機用アジャストベースであって、着脱自在に互いに重ね合わされる内枠及び外枠と、内枠は、底板と、その底板の両側に設けられた内側板とを含むことと、内側板は、その長手方向の一端部に第１の孔が設けられ、その長手方向の他端部に第２の孔が設けられることと、第１の孔と第２の孔は、底板からの高さ位置が互いに異なることと、外枠は、天板と、その天板の両側に設けられた外側板とを含むことと、外側板は、その長手方向の一端部に第３の孔が設けられ、その長手方向の他端部に  第３の孔を中心とする円弧軌跡上に配置された複数の傾斜調整孔が設けられることと、天板には、止め金具をボルトで固定するためのねじ孔が設けられることと、第１の孔と第３の孔を互いに整合させた状態又は第２の孔と第３の孔を互いに整合させた状態でそれらの孔に装着される第１の支軸と、傾斜調整孔の一つを第２の孔又は第１の孔に整合させた状態でそれらの孔に装着される第２の支軸とを備えたことを趣旨とする。
【００１１】
上記発明の構成によれば、第１の孔と第３の孔を互いに整合させた状態でそれらの孔に第１の支軸を装着することにより、内枠と外枠が、第１の支軸を中心に相対回動可能となる。ここで、内枠と外枠を第１の支軸を中心に相対回動させ、外枠における傾斜調整孔の一つを第２の孔に整合させてそれらの孔に第２の支軸を装着することにより、外枠が内枠に対し、所定の傾斜角度をもって保持される。従って、内枠と外枠を、第１の支軸を中心に相対回動させて第２の孔に整合させる傾斜調整孔を段階的に変えることにより、内枠に対する外枠の傾斜角度が段階的に変えられる。
一方、内枠と外枠を互いに分離して、内枠を１８０度回転させた上で内枠と外枠を互いに重ね合わせる。そして、第２の孔と第３の孔を互いに整合させた状態でそれらの孔に第１の支軸を装着することにより、内枠と外枠が、第１の支軸を中心に相対回動可能となる。ここで、内枠と外枠を第１の支軸を中心に相対回動させ、外枠における傾斜調整孔の一つを第１の孔に整合させてそれらの孔に第２の支軸を装着することにより、外枠が内枠に対し、所定の傾斜角度をもって保持される。従って、内枠と外枠を、第１の支軸を中心に相対回動させ、第１の孔に整合させる傾斜調整孔を段階的に変えることにより、内枠に対する外枠の傾斜角度が段階的に変えられる。
ここで、第１の孔と第２の孔は、底板からの高さ位置が互いに異なることから、第１及び第３の孔に装着された第１の支軸を回動中心として段階的に変えられる内枠に対する外枠の傾斜角度と、第２及び第３の孔に装着された第１の支軸を回動中心として段階的に変えられる内枠に対する外枠の傾斜角度は、互いに相違したものとなる。
【００１２】
上記目的を達成するために、請求項２に記載の発明は、請求項１に記載の発明において、第１の孔及び第２の孔はねじ孔であり、第３の孔及び傾斜調整孔はばか孔であり、第１の支軸及び第２の支軸は、ねじ孔に螺合されるボルトであることを趣旨とする。
【００１３】
上記発明の構成によれば、請求項１に記載の発明の作用に加え、第１の孔と第３の孔を整合させてそれらの孔にボルトを装着することにより、ボルトの雄ねじが第１の孔の雌ねじに螺合され、ボルトが第３の孔に対して相対回動可能となる。第２の孔と傾斜調整孔を整合させてそれらの孔にボルトを装着することにより、ボルトの雄ねじが第２の孔の雌ねじ螺合され、ボルトが傾斜調整孔に対して相対回動可能となる。第２の孔と第３の孔を整合させてそれらの孔にボルトを装着すると共に、第１の孔と傾斜調整孔を整合させてそれらの孔にボルトを装着する場合も上記場合と同じである。
【発明の効果】
【００１４】
請求項１に記載の発明によれば、傾斜した設置基盤上に自動販売機を水平に設置するためのアジャストベースについて、少ない傾斜調整孔でより多くの段階をもって内枠に対する外枠の傾斜調整を行うことができ、傾斜調整の分解能を上げることができる。
【００１５】
請求項２に記載の発明によれば、請求項１に記載の発明の効果に加え、内枠と外枠の相対回動を許容することができ、内枠及び外枠からのボルトの脱落を防止することができる。また、ボルトの締め付け・締め戻しという簡単な操作によりアジャストベースの機能を発揮させることができる。
【発明を実施するための最良の形態】
【００１６】
以下、本発明の自動販売機用アジャストベースを具体化した一実施形態を図面を参照して詳細に説明する。
【００１７】
図１に、自動販売機用アジャストベース（以下、単に「アジャストベース」と言う。）１を斜視図により示す。図２に、アジャストベース１を平面図により示す。図３に、アジャストベース１を正面図により示す。図４に、アジャストベース１を側面図により示す。図５に、図２のＡ−Ａ線に沿った断面図を示す。
【００１８】
アジャストベース１は、着脱自在に互いに重ね合わされる金属製の内枠２及び外枠３と、内枠２及び外枠３が重ね合わされた状態で両者２，３に装着される左右一対の第１のボルト４及び左右一対の第２のボルト５と、各ボルト４，５と外枠３との間に介在されるワッシャ６とを備える。第１のボルト４は、本発明の第１の支軸に相当し、第２のボルト５は、本発明の第２の支軸に相当する。
【００１９】
内枠２は、底板２ａと、その底板２ａの両側に設けられた内側板２ｂとを含み、断面チャネル状に折り曲げ成形される。底板２ａには、アンカーボルトを挿通する一対の底孔７が形成される。各内側板２ｂには、その長手方向の一端部に第１の孔８が設けられ、その長手方向の他端部に第２の孔９が設けられる。第１の孔８及び第２の孔９は、各ボルト４，５と螺合するねじ孔となっている。図５に示すように、第１の孔８と第２の孔９は、底板２ａからの高さ位置が互いに異なるように形成される。即ち、第１の孔８の底板２ａ下面からの高さを「Ｈ１」とし、第２の孔９の底板２ａ下面からの高さを「Ｈ２」とすると、「Ｈ１＞Ｈ２」の関係となる。この実施形態で、高さＨ１は「４７ｍｍ」に、高さＨ２は「４３．１ｍｍ」に設定される。
【００２０】
図６に、外枠３を側面図により示す。外枠３は、天板３ａと、その天板３ａの両側に設けられた外側板３ｂと、その天板３ａの前後に設けられた前後板３ｃとを含み、略箱形に折り曲げ成形される。図６に示すように、各外側板３ｂには、その長手方向の一端部に第３の孔１０が設けられ、その長手方向の他端部に  第３の孔１０を中心とする円弧軌跡ＬＳ上に配置された複数の傾斜調整孔１１ａ，１１ｂ，１１ｃが設けられる。第３の孔１０及び傾斜調整孔１１ａ〜１１ｃは、それぞれ各ボルト４，５を挿通可能なばか孔となっている。この実施形態で、傾斜調整孔１１ａ〜１１ｃは、各外側板３ｂに等角度間隔により３つ形成される。天板３ａには、別途設けられる止め金具２５（図１３参照）をボルトで固定するための複数のねじ孔１２が設けられる。この実施形態で、複数のねし孔１２は、天板３ａのほぼ全域において縦横に等間隔に配列される。
【００２１】
このアジャストベース１では、図１〜５に示す状態において、第１の孔８と第３の孔１０を互いに整合させた状態でそれらの孔８，１０に第１のボルト４が装着される。また、傾斜調整孔１１ａ〜１１ｃの一つを第２の孔９に整合させた状態でそれらの孔１１ａ〜１１ｃ，９に第２のボルト５が装着される。
【００２２】
一方、この実施形態のアジャストベース１では、図１〜５に示す状態から内枠２と外枠３を互いに分離し、内枠２を１８０度回転させた上で内枠２と外枠３を互いに重ね合わせることができる。この回転後の重ね合わせ状態において、第２の孔９と第３の孔１０を互いに整合させた状態でそれらの孔９，１０に第１のボルト４が装着される。また、傾斜調整孔１１ａ〜１１ｃの一つを第１の孔８に整合させた状態でそれらの孔１１ａ〜１１ｃ，８に第２のボルト５が装着される。
【００２３】
以上説明したこの実施形態のアジャストベース１によれば、図１〜５に示すように、第１の孔８と第３の孔１０に第１のボルト４を装着すると、内枠２と外枠３が第１のボルト４を中心に相対回動可能となる。
【００２４】
ここで、内枠２と外枠３を第１のボルト４を中心に相対回動させて傾斜調整孔１１ａ〜１１ｃの一つを第２の孔９に整合させ、それらの孔１１ａ〜１１ｃ，９に第２のボルト５を装着すると、外枠３が内枠２に対して所定の傾斜角度θ１をもって保持される。
【００２５】
即ち、図７に示すように、第１の孔８と第３の孔１０に第１のボルト４を装着し、上位置の傾斜調整孔１１ａと第２の孔９に第２のボルト４を装着する。この状態では、内枠２に対する外枠３の傾斜角度θ１が「０°」となり、外枠３が内枠２に対して水平に保持される。
【００２６】
また、図８に示すように、図７に示す状態から、内枠２と外枠３を第１のボルト４を中心に相対回動させて中位置の傾斜調整孔１１ｂを第２の孔９に整合させ、それらの孔１１ｂ，９に第２のボルト５を装着する。この状態では、内枠２に対する外枠３の傾斜角度θ１が「６°」となり、外枠３が内枠２に対して傾斜して保持される。
【００２７】
更に、図９に示すように、図８に示す状態から、内枠２と外枠３を第１のボルト４を中心に更に相対回動させて下位置の傾斜調整孔１１ｃを第２の孔９に整合させ、それらの孔１１ｃ，９に第２のボルト５を装着する。この状態では、内枠２に対する外枠３の傾斜角度θ１が「１２°」となり、外枠３が内枠２に対して更に傾斜して保持される。
【００２８】
従って、内枠２と外枠３を、第１のボルト４を中心に相対回動させて、第２の孔９に整合させる傾斜調整孔１１ａ〜１１ｃを段階的に変えることにより、内枠２に対する外枠３の傾斜角度θ１が段階的に変えられる。この実施形態では、上記の操作により６°間隔で３段階に傾斜角度θ１が変えられる。
【００２９】
一方、内枠２と外枠３を互いに分離し、内枠２を１８０度回転させた上で内枠２と外枠３を互いに重ね合わせる。そして、第２の孔９と第３の孔１０に第１のボルト４を装着すると、内枠２と外枠３が、第１のボルト４を中心に相対回動可能となる。
【００３０】
ここで、内枠２と外枠３を第１のボルト４を中心に相対回動させて傾斜調整孔１１ａ〜１１ｃの一つを第１の孔８に整合させ、それらの孔１１ａ〜１１ｃ，８に第２のボルト５を装着すると、外枠３が内枠２に対し、所定の傾斜角度θ１をもって保持される。
【００３１】
即ち、図１０に示すように、第２の孔９と第３の孔１０に第１のボルト４を装着し、上位置の傾斜調整孔１１ａと第１の孔８に第２のボルト５を装着する。この状態では、内枠２に対する外枠３の傾斜角度θ１が「３°」となり、外枠３が内枠２に対して傾斜して保持される。
【００３２】
また、図１１に示すように、図１０に示す状態から、内枠２と外枠３を第１のボルト４を中心に相対回動させて中位置の傾斜調整孔１１ｂを第１の孔８に整合させ、それらの孔１１ｂ，８に第２のボルト５を装着する。この状態では、内枠２に対する外枠３の傾斜角度θ１が「９°」となり、外枠３が内枠２に対して更に傾斜して保持される。
【００３３】
更に、図１２に示すように、図１１に示す状態から、内枠２と外枠３を第１のボルト４を中心に更に相対回動させて下位置の傾斜調整孔１１ｃを第１の孔８に整合させ、それらの孔１１ｃ，８に第２のボルト５を装着する。この状態では、内枠２に対する外枠３の傾斜角度θ１が最大の「１５°」となり、外枠３が内枠２に対して更に傾斜して保持される。
【００３４】
従って、内枠２と外枠３を、第１のボルト４を中心に相対回動させて、第１の孔８に整合させる傾斜調整孔１１ａ〜１１ｃを段階的に変えることにより、内枠２に対する外枠３の傾斜角度θ１が段階的に変えられる。この実施形態では、上記の操作により６°間隔で３段階に傾斜角度θ１が変えられることになる。
【００３５】
ここで、第１の孔８と第２の孔９は、底板２ａからの高さＨ１，Ｈ２が互いに異なる。これにより、第１の孔８と第３の孔１０に第１のボルト４を装着した場合に段階的に変えられる傾斜角度θ１は、「０°，６°，１２°」となり、第２の孔９と第３の孔１０に第１のボルト４を装着した場合に段階的に変えられる傾斜角度θ１の「３°，９°，１５°」と互いに相違したものとなる。従って、この実施形態では、合計で「０°，３°，６°，９°，１２°，１５°」の６段階に傾斜角度θ１を調整することができる。
【００３６】
上記のようなアジャストベース１に係る傾斜角度θ１の調整は、図１３に示すように、傾斜した設置基盤２１上に自動販売機２２を水平に設置するために行われる。このアジャストベース１は、例えば、自動販売機２２の前側支持脚２３に対応して設置され、アンカーボルト２４を介して設置基盤２１上に固定される。ここで、上記した傾斜角度θ１の調整により、外枠３の天板３ａを水平に保持した状態で、第１のボルト４及び第２のボルト５を締め付ける。その後、自動販売機２２の前側支持脚２３を止め金具２５を介してアジャストベース１に固定する。設置基盤２１の高位置側は、自動販売機２１の後側支持脚２６を、設置基盤２１上に固定されたアンカーボルト２４に止め金具２５を介して固定すればよい。
【００３７】
従って、この実施形態のアジャストベース１によれば、傾斜した設置基盤２１上に自動販売機２２を水平に設置するために、内枠２及び外枠３に各孔８〜１０，１１ａ〜１１ｃを設けて各ボルト４，５を装着するという簡単な構造により傾斜角度θ１を調整することができる。また、一つの外側板３ｂ当たり３つの傾斜調整孔１１ａ〜１１ｃを設けるだけで、その２倍の数の６段階に傾斜角度θ１を調整することができる。更に、調整角度θ１を３°間隔という細かい角度間隔で調整することができ、内枠２に対する外枠３の傾斜調整に関する分解能を高めることができる。また、上記のようにアジャストベース１は、構造が簡単であることから、安価に製造することができる。
【００３８】
この実施形態のアジャストベース１によれば、第１の孔８と第３の孔１０に第１のボルト４を装着することにより、第１のボルト４の雄ねじが第１の孔８の雌ねじに螺合され、第１のボルト４が第３の孔１０に対し隙間をもって装着される。第２の孔９と傾斜調整孔１１ａ〜１１ｃの一つに第２のボルト５を装着することにより、第２のボルト５の雄ねじが第２の孔９の雌ねじ螺合され、第２のボルト５が傾斜調整孔１１ａ〜１１ｃの一つに対して隙間をもって装着される。第２の孔９と第３の孔１０に第１のボルト４を装着すると共に、第１の孔８と傾斜調整孔１１ａ〜１１ｃの一つに第２のボルト５を装着する場合も上記場合と同様である。この結果、内枠２と外枠３の相対回動を許容することができ、内枠２及び外枠３からの各ボルト４，５の脱落を防止することができる。また、各ボルト４，５の締め付け・締め戻しという簡単な操作によりアジャストベース１の機能を発揮させることができる。
【００３９】
更に、この実施形態のアジャストベース１によれば、外枠３の天板３ａのほぼ全域において複数のねじ孔１２が縦横に等間隔に配列される。このため、止め金具２５の孔をねじ孔１２の一つに容易に整合させることができ、天板３ａ上における止め金具２５の位置決め作業を容易なものにすることができる。
【００４０】
尚、この発明は前記実施形態に限定されるものではなく、発明の趣旨を逸脱することのない範囲で以下のように実施することもできる。
【００４１】
例えば、前記実施形態では、一つの外側板３ｂにおける傾斜調整孔１１ａ〜１１ｃの数を三つとしたが、この傾斜調整孔の数を二つにしたり、四つ以上の数としてもよい。
【図面の簡単な説明】
【００４２】
【図１】一実施形態に係り、アジャストベースを示す斜視図。
【図２】アジャストベースを示す平面図。
【図３】アジャストベースを示す正面図。
【図４】アジャストベースを示す側面図。
【図５】図２のＡ−Ａ線断面図。
【図６】外枠を示す側面図。
【図７】アジャストベースの作用を示す側面図。
【図８】アジャストベースの作用を示す側面図。
【図９】アジャストベースの作用を示す側面図。
【図１０】アジャストベースの作用を示す側面図。
【図１１】アジャストベースの作用を示す側面図。
【図１２】アジャストベースの作用を示す側面図。
【図１３】アジャストベースの使用状態を示す側面図。
【図１４】従来の固定装置を示す斜視図。
【図１５】従来の固定装置の作用を示す側面図。
【符号の説明】
【００４３】
１      アジャストベース
２      内枠
２ａ    底板
２ｂ    内側板
３      外枠
３ａ    天板
３ｂ    外側板
４      第１のボルト（第１の支軸）
５      第２のボルト（第２の支軸）
８      第１の孔
９      第２の孔
１０    第３の孔
１１ａ  傾斜調整孔
１１ｂ  傾斜調整孔
１１ｃ  傾斜調整孔
２１    設置基盤
２２    自動販売機
２３    前側支持脚
２５    止め金具
【図１】
2005070990.tif 000003
【図２】
2005070990.tif 000004
【図３】
2005070990.tif 000005
【図４】
2005070990.tif 000006
【図５】
2005070990.tif 000007
【図６】
2005070990.tif 000008
【図７】
2005070990.tif 000009
【図８】
2005070990.tif 000010
【図９】
2005070990.tif 000011
【図１０】
2005070990.tif 000012
【図１１】
2005070990.tif 000013
【図１２】
2005070990.tif 000014
【図１３】
2005070990.tif 000015
【図１４】
2005070990.tif 000016
【図１５】
2005070990.tif 000017